(57)【要約】【課題】各部材の隙間からの光漏れを防止し、各部材の位置ずれに起因する表示ムラの発生を防止することができる照明装置及び液晶表示装置の提供。【解決手段】ＬＥＤ６に押さえ突起６ａを設け、リフレクタ３の混色用導光板２近傍の領域に押圧してリフレクタ３を混色用導光板２に確実に当接させる構造とする。また、リフレクタ３の両端部にガイド部３ｃを設けると共に、シャーシ４にガイド部３ｃの液晶パネル１２側に当接するリフレクタ支持部４ａを設け、リフレクタ３のガイド部３ｃをシャーシ４のリフレクタ支持部４ａで受けて、リフレクタ３を液晶パネル１２に略平行にスライド可能な構造とする。これにより、リフレクタ３と混色用導光板２、及び、ＬＥＤ６とリフレクタ３の隙間からの光漏れを防止すると共に、ＬＥＤ６とリフレクタ３の位置ずれを矯正して表示ムラの発生を防止する。【選択図】図２
2007322541.tif 000002
【特許請求の範囲】
【請求項１】
液晶パネルに対向する背面側に配置され、前記液晶パネルに略平行な面内で所定の方向に延在する光源と、前記光源からの光を反射する第１のリフレクタと、前記液晶パネルに略平行に配置され、前記第１のリフレクタからの光を導く第１の導光板と、前記第１の導光板からの光を反射する第２のリフレクタと、前記液晶パネルに略平行に配置され、前記第２のリフレクタからの光を導く第２の導光板と、少なくとも前記第１のリフレクタと前記第１の導光板と前記第２のリフレクタと前記第２の導光板とを支持するシャーシとを少なくとも備え、
前記第１の導光板の入射側の端部が、前記第１のリフレクタの出射側の開口部に挿入されてなる照明装置において、
前記光源又は該光源の支持部材に、前記第１のリフレクタの前記第１の導光板近傍の領域を押圧する１又は複数の突起部を備えることを特徴とする照明装置。
【請求項２】
前記突起部は、前記光源又は該光源の支持部材に一体成形されていることを特徴とする請求項１記載の照明装置。
【請求項３】
前記第１のリフレクタは、前記光源が挿入される開口部を備える第１の面と、前記第１の面の一辺に接続され、前記第１の導光板の背面側に延びる第２の面と、前記第１の面の前記一辺に対向する辺に接続され、前記第１の導光板の表面側に延びる第３の面とで構成され、前記突起部は前記第２の面を前記第３の面側に押圧し、前記第２の面と前記第３の面との間隔が狭められることを特徴とする請求項１又は２に記載の照明装置。
【請求項４】
前記第１のリフレクタの前記所定の方向の両端部に、前記所定の方向に突出するガイド部を備え、
前記第１のリフレクタの前記両端部を支持する前記シャーシに、前記液晶パネルに略平行、かつ、前記ガイド部の前記液晶パネル側に当接する平坦部を有するリフレクタ支持部を備え、
前記ガイド部と前記リフレクタ支持部とが係合することにより、前記第１のリフレクタの前記液晶パネル側への移動が制限され、かつ、前記液晶パネルに略平行な面内で前記所定の方向に略直交する方向へのスライドが可能となることを特徴とする請求項１乃至３のいずれか一に記載の照明装置。
【請求項５】
前記ガイド部は前記第１のリフレクタに一体成形され、
前記リフレクタ支持部は前記シャーシに一体成形されていることを特徴とする請求項４記載の照明装置。
【請求項６】
前記光源は、複数色のＬＥＤで構成され、
前記第１の導光板は、前記複数色のＬＥＤの光を混色する機能を備えることを特徴とする請求項１乃至５のいずれか一に記載の照明装置。
【請求項７】
請求項１乃至６のいずれか一に記載の照明装置と、前記液晶パネルと、を少なくとも備えることを特徴とする液晶表示装置。
【発明の詳細な説明】
【技術分野】
【０００１】
本発明は、照明装置及び液晶表示装置に関し、特に、導光板を使用する照明装置及び該照明装置を備える液晶表示装置に関する。
【背景技術】
【０００２】
液晶表示装置は小型、薄型、低消費電力という特質からＯＡ機器やテレビジョンのモニタなどとして広く用いられている。この液晶表示装置は、対向する透明基板間に液晶が狭持されてなる液晶パネルと、液晶パネルを照明するバックライト光を発生するバックライトユニットなどで構成される。
【０００３】
また、バックライトユニットには、光源から出る光を反射板で反射し、拡散板で拡散させて照明する方式と、光源から出る光を導光板に入射し導光板内で拡散させて照明する方式（以下、導光板方式と呼ぶ。）と、液晶パネルの背面全体に光源を配置して照明する方式などがあるが、薄型の液晶表示装置では通常、導光板方式が利用されている。
【０００４】
上記導光板方式のバックライトユニットは、アクリル樹脂などの透明なプラスティック樹脂からなる導光板と、導光板の側面に配置されるＬＥＤ（Light Emitting Diode）や冷陰極蛍光ランプなどの光源と、光源から出射する光を導光板側に反射するリフレクタと、導光板の背面（液晶パネルと反対側の面）側に配置され、導光板から漏れ出る光を反射して導光板へ再入射させる反射シートなどで構成される（例えば、下記特許文献１参照）。
【０００５】
【特許文献１】特開２００３−２７９９８５号公報（第３−４頁、第１図）
【発明の開示】
【発明が解決しようとする課題】
【０００６】
上記導光板方式のバックライトユニットとして、光源を導光板の側面に配置する構造が一般的であるが、この構造では、複数色のＬＥＤの光を混色して白色光を得る場合、光源近傍の領域では十分に光を混色することができないことから、図６に示すように、ＬＥＤ６などの光源を背面に配置する構造が用いられる。この構造では、ＬＥＤ６から出た光はリフレクタ３で反射されて混色用導光板２に入射し、混色用導光板２で混色した光はリフレクタ１で反射されて導光板５に入射し、導光板５で拡散して液晶パネル１２側に出射される。
【０００７】
しかしながら、上記構造では、リフレクタ３近傍を拡大した図７に示すように、リフレクタ３を混色用導光板２にかみ込ませて組み立てるため、リフレクタ開口幅（Ａ）３ａと混色用導光板厚み（Ｂ）２ａとの寸法関係が（Ａ）＞（Ｂ）であると、リフレクタ３と混色用導光板２の隙間から光漏れが発生してしまうという問題があった。
【０００８】
また、ＬＥＤ６及びリフレクタ３近傍を拡大した図８に示すように、ＬＥＤ６の実装ズレやリフレクタ３の反りが発生した場合に、ＬＥＤ６の中心線とリフレクタ３の中心線がずれ（図８（ａ）参照）、その結果、実装時にＬＥＤ６とリフレクタ３とが干渉し、ＬＥＤ６に押されたリフレクタ３が反射シート１０を押して、反射シート１０と導光板５とのクリアランスが変わり（図８（ｂ）参照）、表示面の輝度が不均一になり、表示ムラが発生してしまうという問題もあった。
【０００９】
更に、ＬＥＤ６がリフレクタ３に納まっていないために、ＬＥＤ６とリフレクタ３の隙間から光漏れが発生してしまうという問題もあった。
【００１０】
本発明は、上記問題点に鑑みてなされたものであって、その第１の目的は、光源からの光を反射するリフレクタと導光板、特に混色用導光板の隙間からの光漏れを防止することができる照明装置及び該照明装置を備える液晶表示装置を提供することにある。
【００１１】
また、本発明の第２の目的は、光源とリフレクタの位置ずれに起因する表示ムラの発生を防止することができる照明装置及び該照明装置を備える液晶表示装置を提供することにある。
【００１２】
また、本発明の第３の目的は、光源とリフレクタの隙間からの光漏れを防止することができる照明装置及び該照明装置を備える液晶表示装置を提供することにある。
【課題を解決するための手段】
【００１３】
上記目的を達成するため、本発明は、液晶パネルに対向する背面側に配置され、前記液晶パネルに略平行な面内で所定の方向に延在する光源と、前記光源からの光を反射する第１のリフレクタと、前記液晶パネルに略平行に配置され、前記第１のリフレクタからの光を導く第１の導光板と、前記第１の導光板からの光を反射する第２のリフレクタと、前記液晶パネルに略平行に配置され、前記第２のリフレクタからの光を導く第２の導光板と、少なくとも前記第１のリフレクタと前記第１の導光板と前記第２のリフレクタと前記第２の導光板とを支持するシャーシとを少なくとも備え、前記第１の導光板の入射側の端部が、前記第１のリフレクタの出射側の開口部に挿入されてなる照明装置において、前記光源又は該光源の支持部材に、前記第１のリフレクタの前記第１の導光板近傍の領域を押圧する１又は複数の突起部を備えるものである。
【００１４】
本発明においては、前記突起部は、前記光源又は該光源の支持部材に一体成形されている構成とすることができる。
【００１５】
また、本発明においては、前記第１のリフレクタは、前記光源が挿入される開口部を備える第１の面と、前記第１の面の一辺に接続され、前記第１の導光板の背面側に延びる第２の面と、前記第１の面の前記一辺に対向する辺に接続され、前記第１の導光板の表面側に延びる第３の面とで構成され、前記突起部は前記第２の面を前記第３の面側に押圧し、前記第２の面と前記第３の面との間隔が狭められる構成とすることができる。
【００１６】
また、本発明においては、前記第１のリフレクタの前記所定の方向の両端部に、前記所定の方向に突出するガイド部を備え、前記第１のリフレクタの前記両端部を支持する前記シャーシに、前記液晶パネルに略平行、かつ、前記ガイド部の前記液晶パネル側に当接する平坦部を有するリフレクタ支持部を備え、前記ガイド部と前記リフレクタ支持部とが係合することにより、前記第１のリフレクタの前記液晶パネル側への移動が制限され、かつ、前記液晶パネルに略平行な面内で前記所定の方向に略直交する方向へのスライドが可能となる構成とすることができる。
【００１７】
また、本発明においては、前記ガイド部は前記第１のリフレクタに一体成形され、前記リフレクタ支持部は前記シャーシに一体成形されている構成とすることができる。
【００１８】
また、本発明においては、前記光源は、複数色のＬＥＤで構成され、前記第１の導光板は、前記複数色のＬＥＤの光を混色する機能を備える構成とすることもできる。
【００１９】
また、本発明の液晶表示装置は、上記いずれか一に記載の照明装置と、前記液晶パネルと、を少なくとも備えるものである。
【００２０】
このように、光源又は光源の支持部材に、第１のリフレクタの第１の導光板近傍の領域を押圧する突起部を設けるという簡単な構造によって、第１のリフレクタを第１の導光板に確実に当接させることができ、これにより両者の隙間からの光漏れを防止することができる。
【００２１】
また、第１のリフレクタの両端部にガイド部を設けると共にシャーシにガイド部の液晶パネル側に当接するリフレクタ支持部を設けるという簡単な構造によって、第１のリフレクタの液晶パネル側への動きが規制されると共に第１のリフレクタが液晶パネルに略平行にスライド可能になり、これにより光源とリフレクタとの位置ずれを矯正して表示ムラの発生を防止することができると共に、光源とリフレクタの隙間からの光漏れを防止することができる。
【発明の効果】
【００２２】
本発明の照明装置及び該照明装置を備える液晶表示装置によれば、下記記載の効果を奏する。
【００２３】
本発明の第１の効果は、液晶パネルに対向する背面側に、液晶パネルに略平行な面内で所定の方向に延在する光源が配置され、光源からの光がリフレクタで反射されて、液晶パネルに略平行に配置された混色用導光板などの導光板に入射する構造において、リフレクタと導光板の隙間からの光漏れを防止できるということである。その理由は、光源又は光源の支持部材に、リフレクタの導光板近傍の領域を押圧する押さえ突起を設け、押さえ突起によってリフレクタを変形させ、リフレクタを導光板に確実に当接させることができるからである。
【００２４】
また、本発明の第２の効果は、光源とリフレクタとの位置ずれに起因する表示ムラの発生を防止できるということである。その理由は、リフレクタの両端面にガイド部を設けると共に、リフレクタを支持するシャーシにガイド部の液晶パネル側に当接するリフレクタ支持部を設け、リフレクタのガイド部をシャーシのリフレクタ支持部で受けることにより、光源の中心線とリフレクタの中心線の位置がずれた場合でも、リフレクタが液晶パネルに略平行にスライドして、光源とリフレクタのズレを矯正することができ、これにより、リフレクタが反射シートを押して反射シートと導光板とのクリアランスが変わり、表示面の輝度が不均一になるという不具合を防止することができるからである。
【００２５】
また、本発明の第３の効果は、光源とリフレクタの隙間からの光漏れが防止できるということである。その理由は、リフレクタに設けたガイド部とシャーシに設けたリフレクタ支持部とにより、光源とリフレクタのズレを矯正することができるため、光源とリフレクタとを確実に係合させることができるからである。
【００２６】
また、本発明の第４の効果は、上記効果を得るためのコストＵＰが抑制できるということである。その理由は、押さえ突起を光源と一体成形し、また、ガイド部をリフレクタと一体成形し、且つ、リフレクタ支持部をシャーシと一体成形することにより、付属品の追加が不要になるからである。
【発明を実施するための最良の形態】
【００２７】
従来技術で示したように、導光板方式のバックライトユニットでは、リフレクタと導光板の間に隙間があると光漏れが発生してしまい、また、光源とリフレクタとの位置関係がずれると、導光板の裏面に配置される反射シートなどを押圧して部材間のクリアランスが変わり、表示面の輝度が不均一になって表示ムラが発生したり、光源とリフレクタの隙間から光漏れが発生するという問題があった。
【００２８】
特に、図６に示すように、液晶パネル１２に対向する背面側に光源（ＬＥＤ６）が配列されると共に、液晶パネル１２に略平行に混色導光板２と導光板５とが配置され、リフレクタ３で光源からの光を混色用導光板２に反射し、リフレクタ１で混色用導光板２からの光を導光板５に反射する構造のバックライトユニットでは上記問題が顕著に現れる。
【００２９】
そこで、本発明では、図１、図２及び図４に示すように、光源又は光源の支持部材に押さえ突起６ａを設け（好ましくは一体成形し）、押さえ突起６ａによりリフレクタ３の混色用導光板２近傍の領域に押圧して、リフレクタ３を混色用導光板２に確実に当接させる構造とする。また、リフレクタ３の両端部にガイド部３ｃを設ける（好ましくは一体成形する）と共に、シャーシ４にガイド部３ｃの液晶パネル１２側に当接するリフレクタ支持部４ａを設け（好ましくは一体成形し）、リフレクタ３のガイド部３ｃをシャーシ４のリフレクタ支持部４ａで受けて、リフレクタ３を液晶パネル１２に略平行にスライド可能な構造とする。これにより、リフレクタ３と混色用導光板２、及び、光源（ＬＥＤ６）とリフレクタ３の隙間からの光漏れを防止することができると共に、光源（ＬＥＤ６）とリフレクタ３の位置関係がずれた場合でも、位置関係を矯正して位置ずれに起因する表示ムラの発生を防止することができる。
【実施例】
【００３０】
上記した本発明の実施の形態についてさらに詳細に説明すべく、本発明の一実施例に係る照明装置及び該照明装置を備える液晶表示装置について、図１乃至図５を参照して説明する。図１は、本発明の一実施例に係る液晶表示装置を液晶パネル側から見た平面図であり、図２は、液晶パネルを下にした図１のＸ−Ｘ線に沿った断面図である。また、図３は、ＬＥＤ及びリフレクタ近傍領域を拡大した断面図であり、図４は、図３（ａ）の視野Ａ側から見たリフレクタ及びシャーシを模式的に示す斜視図である。また、図５は、リフレクタの構造を具体的に示す斜視図である。
【００３１】
図１及び図２に示すように、液晶表示装置は、液晶パネル１２（形状や構造、駆動方式は問わない。）と、液晶パネル１２にバックライト光を照射するバックライトユニットとを主な構成要素としている。
【００３２】
液晶パネル１２は、マトリクス状に配列された各々の画素に薄膜トランジスタ（ＴＦＴ：Thin Film Transistor）などのスイッチング素子が形成された第１の基板と、カラーフィルタやブラックマトリクスなどが形成された第２の基板との間に液晶が挟持されて構成される。
【００３３】
また、バックライトユニットは、光源部と導光部とで構成される。光源部は、ＬＥＤ６や冷陰極ランプなどの光源と、光源を固定し、光源で発生する熱を外部に放散するためのヒートシンク７などで構成される。また、導光部は、光源からの光を反射するリフレクタ３と、リフレクタ３で反射された光を混色する混色導光板２と、混色された光を反射するリフレクタ１と、リフレクタ１で反射された光を拡散して液晶パネル１２全面に導く導光板５と、導光板５からの光を拡散したり集光したり偏光する光学シート１１と、これらを支持する樹脂などからなるシャーシ４及び金属などからなるフレーム８とで構成される。
【００３４】
具体的には、熱伝導性のよい部材で形成されたヒートシンク７がＬＥＤ６の放熱用に設けられ、ヒートシンク７の下部（液晶パネル１２側の面）には、所定の方向（例えば、液晶パネル１２の長手方向）に沿ってＬＥＤ６が配列され、ＬＥＤ６にはリフレクタ３の混色用導光板２近傍領域を押圧するための押さえ突起６ａが設けられている。
【００３５】
また、ＬＥＤ６に対向する位置には、ＬＥＤ６から出射した光をＬＥＤ６の配列方向（液晶パネル１２の長手方向）に直交する方向に略９０°曲げ、混色用導光板２に取り込むための、金属板などで形成されたリフレクタ３が設けられている。このリフレクタ３は、押さえ突起６ａの押圧によってリフレクタ開口部（Ａ）が狭くなるように変形可能に形成されており、また、このリフレクタ３の両端部（ＬＥＤ６の配列方向側の端部）には、後述するようにシャーシ４に形成したリフレクタ支持部４ａに係合するガイド部３ｃが形成されている。
【００３６】
また、リフレクタ３の出射側の開口部には、液晶パネル１２と略平行な板状の透明なプラスティック樹脂などからなる導光板（ここでは混色用導光板２）が配置され、混色用導光板２の下部（液晶パネル１２側の面）には、混色用導光板２の中の光の伝搬効率を上げるために、混色用導光板２から漏れた光を反射させ再度混色用導光板２の中に戻す反射シート９が配置されている。
【００３７】
混色用導光板２の出射側の端部には、混色用導光板２内を伝搬した光を略１８０°曲げるための、金属板などで形成されたリフレクタ１が設けられており、リフレクタ１の出射側の開口部には、液晶パネル１２と略平行な板状の透明なプラスティック樹脂などからなる導光板５が配置され、導光板５の上部（ＬＥＤ６側の面）には、導光板５の中の光の伝搬効率を上げるために、導光板５から漏れた光を反射させ再度導光板５の中に戻す反射シート１０が配置されている。そして、導光板５の下部（液晶パネル１２側の面）から出射した光は、光を均一に照射させる光学シート１１を通して、液晶パネル１２を照明する構造となっている。
【００３８】
なお、本発明は、ＬＥＤ６とリフレクタ３とシャーシ４の構造に特徴を有するものであり、他の部材の材料や形状、構造などは特に限定されない。また、本実施例ではＬＥＤ６を複数色のＬＥＤの組み合わせとし、混色用導光板２で混色する構成としているが、ＬＥＤ６を単色として混色用導光板２で拡散のみを行う構成としてもよい。また、図１では液晶パネル１２の長手方向に沿ってＬＥＤ６を配列しているが、長手方向に直交する方向に沿ってＬＥＤ６を配列してもよい。また、ＬＥＤ６の位置は図１に限定されず、混色用導光板２の形状に合わせて適宜変更することができる。
【００３９】
次に、ＬＥＤ６に設けられた押さえ突起６ａの役割について説明する。図３は図２のＬＥＤ６及びリフレクタ３近傍領域を拡大した図であり、図３（ａ）は、ＬＥＤ６がリフレクタ３にセットされる前の状態を示しており、図３（ｂ）は、セットした後の状態を示している。
【００４０】
従来技術で示したように、リフレクタ３を混色用導光板２にかみ込ませて組み立てるため、リフレクタ開口幅（Ａ）３ａと混色用導光板厚み（Ｂ）２ａとの寸法関係は（Ａ）＞（Ｂ）となる。そのため、ＬＥＤ６のセット前には、図３（ａ）に示すように、混色用導光板２とリフレクタ３との間には隙間がありこの隙間から光が漏れるが、本実施例では、ＬＥＤ６（ＬＥＤ６を支持する台座などの部材でもよい。）に、リフレクタ３の混色用導光板２近傍の領域を押圧する押さえ突起６ａが配設（好ましくは一体成形）されており、図３（ｂ）に示すように、ＬＥＤ６をセットすると、押さえ突起６ａがリフレクタ３を押し、リフレクタ３のＬＥＤ６側が変形して混色用導光板２に当接するため、混色用導光板２とリフレクタ３との隙間からの光漏れを防止することができる。
【００４１】
なお、図３では１つの押さえ突起６ａを示しているが、押さえ突起６ａの数量や形状、突起の高さ、配置などは任意であり、リフレクタ３と混色用導光板２の隙間からの光漏れを確実に防止できる構造であればよく、例えば、各々のＬＥＤ６に対して押さえ突起６ａを設けてもよいし、図１に示すように所定の間隔で押さえ突起６ａを設けてもよい。また、リフレクタ３は押さえ突起６ａの押圧力によってリフレクタ開口部（Ａ）３ａが狭くなるように変形可能であればよく、その構造は限定されないが、例えば、図５に示すように所定の厚さの金属板を折り曲げた構造（例えば、ＬＥＤ６が挿入されるＬＥＤ用開口部３ｄを備える第１の面と、第１の面の長手方向の一辺に接続され、混色用導光板２の背面側に延びる第２の面と、第１の面の長手方向の他辺に接続され、混色用導光板２の表面側に延びる第３の面とを備える構造）とすることができる。
【００４２】
次に、リフレクタ３に設けられたガイド部３ｃと、シャーシ４に設けられたリフレクタ支持部４ａの役割について説明する。図４は、図３（ａ）の視野Ａから見た図であり、図４（ａ）は、リフレクタ３がシャーシ４にセットされる前の状態を示しており、図４（ｂ）は、セットした後の状態を示している。
【００４３】
図３（ａ）に示すように、ＬＥＤとリフレクタのズレ量（Ｅ）１５が大きい場合、ＬＥＤ６とリフレクタ３が干渉し、ＬＥＤ６はリフレクタ３を液晶パネル１２側（図３（ａ）下方）に押してしまう。押されたリフレクタ３は、リフレクタ支持部４ａが無ければ反射シート１０を押し、これにより反射シート１０と導光板５とのクリアランスが変化し、表示面の輝度が不均一になり表示ムラが発生する。
【００４４】
そこで、本実施例では、図４（ａ）に示すように、リフレクタ３の両端部（ＬＥＤ６の配列方向の端部）にＬＥＤ６の配列方向に突出するガイド部３ｃを設け、且つ、シャーシ４のガイド部３ｃに対向する位置に、液晶パネル１２面に略平行な平坦面を有するリフレクタ支持部４ａを設け、ガイド部３ｃの液晶パネル１２側をリフレクタ支持部４ａの平坦面で受ける構造とする。これにより、ＬＥＤ６で押されたリフレクタ３は、図３（ｂ）のリフレクタスライド方向３ｂにスライドするため、ＬＥＤ６とリフレクタ３のズレが矯正され、表示面側（液晶パネル１２側）へのストレスが抑制され、反射シート１０と導光板５とのクリアランスが変わり表示面の輝度が不均一になる表示ムラを防止することができる。また、同時にＬＥＤ６とリフレクタ３とのズレが無くなり、ＬＥＤ６とリフレクタ３の隙間からの光漏れも防止することができる。
【００４５】
また、図４では、リフレクタ３がＬＥＤ６の配列方向に直交する方向に自由にスライドできる構造としているが、例えば、図４（ｃ）に示すように、リフレクタ支持部４ａの所定の位置にストッパ４ｂを設けて、リフレクタ３のスライド範囲を制限するようにしてもよい。
【００４６】
なお、図４の構造は例示であり、リフレクタ３の液晶パネル１２方向への移動が規制され、図８（ｂ）のようにリフレクタ３が反射シート１０を押すことにより発生する、横帯ムラの発生を抑制できる限りにおいて、ガイド部３ａやリフレクタ支持部４ａ、ストッパ４ｂの形状や配置、構造などは適宜変更することができる。
【００４７】
このように、ＬＥＤ６に押さえ突起６ａを設け、押さえ突起６ａによりリフレクタ３を混色用導光板２側に押圧して、リフレクタ３と混色用導光板２とを確実に当接させることにより、リフレクタ３と混色用導光板２の隙間からの光漏れを防止することができる。また、リフレクタ３の両端部にガイド部３ｃを設けると共に、シャーシ４にリフレクタ支持部４ａを設け、ガイド部３ｃをリフレクタ支持部４ａで受ける構造とすることにより、ＬＥＤ６とリフレクタ３の隙間からの光漏れを防止することができると共に、ＬＥＤ６とリフレクタ３の位置関係がずれた場合でも、位置関係を矯正して位置ずれに起因する表示ムラの発生を防止することができる。
【００４８】
なお、上記実施例では、混色用導光板２と導光板５の２つの導光板を備える構造を示したが、導光板を１つ備える構造（リフレクタ１と導光板５を省略した構造）に対しても同様に適用することができる。また、上記実施例では、本発明の照明装置を液晶表示装置に利用する場合を記載したが、本発明は上記実施例に限定されるものではなく、任意の被照明部材を照明する照明装置に対して同様に適用することができる。
【産業上の利用可能性】
【００４９】
本発明は、導光板を利用する照明装置、及び、該照明装置を備える任意の液晶表示装置、並びに、該液晶表示装置を表示手段として備える任意の機器に対して利用することができる。
【図面の簡単な説明】
【００５０】
【図１】本発明の一実施例に係る液晶表示装置の構造を模式的に示す平面図である。
【図２】本発明の一実施例に係る液晶表示装置の構造を模式的に示す断面図である。
【図３】本発明の一実施例に係る照明装置の光源とリフレクタ近傍の構造及び組み立て前後の状態を模式的に示す断面図である。
【図４】本発明の一実施例に係る照明装置のリフレクタとシャーシの構造及び組み立て前後の状態を模式的に示す斜視図である。
【図５】本発明の一実施例に係る照明装置のリフレクタの構造の具体例を示す斜視図である。
【図６】従来の液晶表示装置の構造を模式的に示す断面図である。
【図７】従来の液晶表示装置のリフレクタ近傍の構造を模式的に示す断面図である。
【図８】従来の液晶表示装置の光源及びリフレクタ近傍の構造を模式的に示す断面図である。
【符号の説明】
【００５１】
１  リフレクタ
２  混色用導光板
２ａ  混色用導光板厚み（Ａ）
３  リフレクタ
３ａ  リフレクタ開口幅（Ａ）
３ｂ  リフレクタスライド方向
３ｃ  ガイド部
３ｄ  ＬＥＤ用開口部
４  シャーシ
４ａ  リフレクタ支持部
４ｂ  ストッパ
５  導光板
６  ＬＥＤ
６ａ  押さえ突起
７  ヒートシンク
８  フレーム
９  反射シート
１０  反射シート
１１  光学シート
１２  液晶パネル
１３  ネジ
１４  ネジ
１５  ＬＥＤとリフレクタのズレ量（Ｅ）
【図１】
2007322541.tif 000003
【図２】
2007322541.tif 000004
【図３】
2007322541.tif 000005
【図４】
2007322541.tif 000006
【図５】
2007322541.tif 000007
【図６】
2007322541.tif 000008
【図７】
2007322541.tif 000009
【図８】
2007322541.tif 000010